(57)【特許請求の範囲】
【請求項１】
電子機器との間で近距離無線通信を行う通信部と、
前記電子機器から送信された信号の品質を計測する計測部と、
前記品質が改善されたか否を判定する判定部と、
前記品質が改善されたと判定された場合に、電源をオフにする制御部とを備えたハンズフリー機器。
【請求項２】
前記判定部は、前記計測された品質が、先に計測された基準品質よりも所定値以上良好な状態が一定期間継続したときに、前記品質が改善されたと判定する、請求項１記載のハンズフリー機器。
【請求項３】
前記判定部は、前記計測された品質が、先に計測された基準品質よりも所定値以上悪化したときに、前記品質が悪化したと判定し、
前記制御部は、前記品質が悪化したと判定された場合に、前記電源をオフにする、請求項１記載のハンズフリー機器。
【請求項４】
前記制御部は、前記品質が改善されたと判定された場合に、さらに、前記電子機器から前記電子機器のタッチパネルへの入力がないとの通知を受信したときに、前記電源をオフにする、請求項１記載のハンズフリー機器。
【請求項５】
前記制御部は、前記品質が改善されたと判定された場合に、さらに、前記電子機器から前記電子機器の液晶ディスプレイがオフであるとの通知を受信したときに、前記電源をオフにする、請求項１記載のハンズフリー機器。
【請求項６】
前記制御部は、前記品質が改善されたと判定された場合に、さらに、前記電子機器から前記電子機器の筐体に設けられたタッチセンサへの入力がないとの通知を受信したときに、前記電源をオフにする、請求項１記載のハンズフリー機器。
【請求項７】
前記制御部は、前記品質が改善されたと判定された場合に、さらに、前記電子機器から、前記電子機器のタッチパネルへの入力がなく、前記電子機器の液晶ディスプレイがオフであり、かつ前記電子機器の筐体に設けられたタッチセンサへの入力がないとの通知を受信したときに、前記電源をオフにする、請求項１記載のハンズフリー機器。
【請求項８】
前記制御部は、前記品質が改善されたと判定された場合に、さらに、前記品質が改善されたことを前記電子機器に通知し、その後前記電子機器から電源をオフにする指示を受信したときに、前記電源をオフにする、請求項１記載のハンズフリー機器。
【請求項９】
ハンズフリー機器から送信される信号の品質を計測する計測部と、
前記品質が改善されたか否を判定する判定部と、
前記品質が改善されたと判定された場合に、前記ハンズフリー機器に対して電源をオフにする指示を送信する制御部とを備えた電子機器。
【請求項１０】
前記判定部は、前記計測された品質が、先に計測された基準品質よりも所定値以上良好な状態が一定期間継続したときに、前記品質が改善されたと判定する、請求項９記載の電子機器。
【請求項１１】
前記判定部は、前記計測された品質が、先に計測された基準品質よりも所定値以上悪くなったときに、前記品質が悪化したと判定し、
前記制御部は、前記品質が悪化したと判定された場合に、電源をオフにする指示を送信する、請求項９記載の電子機器。
【請求項１２】
タッチパネルをさらに備え、
前記制御部は、前記品質が改善されたと判定された場合に、さらに、前記タッチパネルへの入力がないときに、前記電源をオフにする指示を送信する、請求項９記載の電子機器。
【請求項１３】
液晶ディスプレイをさらに備え、
前記制御部は、前記品質が改善されたと判定された場合に、さらに、前記液晶ディスプレイがオフのときに、前記電源をオフにする指示を送信する、請求項９記載の電子機器。
【請求項１４】
筐体に設けられるタッチセンサをさらに備え、
前記制御部は、前記品質が改善されたと判定された場合に、さらに、前記タッチセンサへの入力がないときに、前記電源をオフにする指示を送信する、請求項９記載の電子機器。
【請求項１５】
タッチパネルと、、
液晶ディスプレイと、
筐体に設けられるタッチセンサをさらに備え
前記制御部は、前記品質が改善されたと判定された場合に、さらに、前記タッチパネルへの入力がなく、前記液晶ディスプレイがオフであり、かつ前記タッチセンサへの入力がないときに、前記電源をオフにする指示を送信する、請求項９記載の電子機器。
【請求項１６】
ハンズフリー機器と電子機器とを備える情報システムであって、
前記ハンズフリー機器と前記電子機器との間の通信信号の品質を計測する計測部と、
前記品質が改善されたか否かを判定する判定部と、
前記品質が改善されたと判定された場合に、前記ハンズフリー機器の電源をオフにする制御部とを備えた情報システム。
【請求項１７】
電子機器と通信接続可能なハンズフリー機器の電源制御方法であって、
前記電子機器が、前記ハンズフリー機器から前記電子機器へ送信された信号の品質を計測するステップと、
前記電子機器が、前記計測された品質が、先に計測された基準品質よりも所定値以上良好な状態が一定期間継続したときに、前記品質が改善されたと判定するステップと、
前記電子機器が、前記品質が改善されたと判定された場合に、前記ハンズフリー機器の電源をオフにする指示を前記ハンズフリー機器へ送信するステップと、
前記ハンズフリー機器が、前記電源をオフにする指示を受信するステップと、
前記ハンズフリー機器が、前記受信した指示に従って、前記電源をオフにするステップとを備えたハンズフリー機器の電源制御方法。
【請求項１８】
電子機器と通信接続可能なハンズフリー機器の電源制御方法であって、
前記ハンズフリー機器が、前記電子機器から前記ハンズフリー機器へ送信された信号の品質を計測するステップと、
前記ハンズフリー機器が、前記計測された品質が、先に計測された基準品質よりも所定値以上良好な状態が一定期間継続したときに、前記品質が改善されたと判定するステップと、
前記ハンズフリー機器が、前記品質が改善されたと判定された場合に、前記ハンズフリー機器の電源をオフにするステップとを備えたハンズフリー機器の電源制御方法。
【発明の詳細な説明】
【技術分野】
【０００１】
本発明は、ハンズフリー機器、電子機器、情報システム、およびハンズフリー機器の電源制御方法に関する。
【背景技術】
【０００２】
従来から、ハンズフリー機器の電源の切り忘れを防止するための技術が知られている。
たとえば、特許文献１に記載の方式では、ヘッドセットが使用者の頭部に装着されたことが検出された場合、ヘッドセットと音楽再生装置との間の音声データの送受信を可能とする。また、ヘッドセットが使用者の頭部から取り外されたことが検出された場合、ヘッドセットの電源をオフ状態とする。
【先行技術文献】
【特許文献】
【０００３】
【特許文献１】特開２００４−２９７２５６号公報
【発明の概要】
【発明が解決しようとする課題】
【０００４】
しかしながら、特許文献１に記載された方式では、ヘッドセットの電源を適切なタイミングでオフにすることできない。たとえば、ヘッドセットが頭部から取り外されば、ヘッドセットを使用中であっても、ヘッドセットの電源がオフにされるという問題がある。
【０００５】
それゆえに、本発明の目的は、ハンズフリー機器の電源を適切なタイミングでオフにすることができるハンズフリー機器、電子機器、情報システム、およびハンズフリー機器の電源制御方法を提供することである。
【課題を解決するための手段】
【０００６】
本発明の一態様のハンズフリー機器は、電子機器との間で近距離無線通信を行う通信部と、電子機器から送信された信号の品質を計測する計測部と、品質が改善されたか否を判定する判定部と、品質が改善されたと判定された場合に、電源をオフにする制御部とを備える。
【発明の効果】
【０００７】
本発明の一態様によれば、ハンズフリー機器の電源を適切なタイミングでオフにすることができる。
【図面の簡単な説明】
【０００８】
【図１】携帯端末およびヘッドセットの使用例を説明するための図である。
【図２】第１の実施形態の情報システムの構成を表わす図である。
【図３】第１の実施形態の携帯端末の動作手順を表わすフローチャートである。
【図４】第１の実施形態のヘッドセットの動作手順を表わすフローチャートである。
【図５】第１の実施形態における通信状況の変化に応じたヘッドセットの電源制御を説明するための図である。
【図６】第２の実施形態の情報システムの構成を表わす図である。
【図７】第２の実施形態のヘッドセットの動作手順を表わすフローチャートである。
【図８】第２の実施形態の携帯端末の動作手順を表わすフローチャートである。
【図９】第３の実施形態の携帯端末の動作手順を表わすフローチャートである。
【図１０】第３の実施形態のヘッドセットの動作手順を表わすフローチャートである。
【図１１】第３の実施形態における通信状況の変化に応じたヘッドセットの電源制御を説明するための図である。
【図１２】第４の実施形態の携帯端末の動作手順を表わすフローチャートである。
【発明を実施するための形態】
【０００９】
以下、本発明の実施の形態について図面を用いて説明する。
以下の実施形態では、電子機器の一例として携帯端末を用いるが、電子機器は、これに限定されるものではなく、たとえば音楽再生用プレーヤであってもよい。また、ハンズフリー機器の一例としてヘッドセットを用いるが、ハンズフリー機器は、ヘッドに装着されないものであってもよい。
【００１０】
［第１の実施形態］
図１は、携帯端末およびヘッドセットの使用例を説明するための図である。
【００１１】
携帯端末１０とヘッドセット３０とは、ペアリングされており、それらの間の距離が、所定距離以下となると、ブルートゥース方式での通信接続が確立され、通信が可能となる。
【００１２】
実施形態では、ヘッドセット３０は、スピーカとマイクとを有するものとして説明するが、ヘッドセット３０は、スピーカとマイクの一方のみを有するものであってもよい。
【００１３】
ＭＰ３などの音楽データの再生時には、携帯端末１０で再生された音声が、ヘッドセット３０に送信され、ヘッドセット３０のスピーカから音声が出力される。通話時には、携帯端末１０で受信した通話相手の音声が、ヘッドセット３０に送信される。また、ヘッドセット３０のマイクに入力された音声が、携帯端末１０に送られる。
【００１４】
図１では、ユーザが携帯端末１０を保持しているが、このような形態に限定されるものではない。携帯端末１０を保持せずに、鞄やパケットに収納していても、携帯端末１０とヘッドセット３０とのブルートゥース方式での通信が可能である。
【００１５】
また、図１では、ヘッドセット３０が、ユーザの耳に装着されているが、このような形態に限定されるものではない。ヘッドセット３０がユーザの胸ポケットに装着されるものであってもよい。
【００１６】
図２は、第１の実施形態の情報システム１の構成を表わす図である。
図２を参照して、情報システム１は、携帯端末１０およびヘッドセット３０とを備える。
【００１７】
携帯端末１０は、アンテナ２３と、無線通信部１２と、液晶ディスプレイ１３と、タッチパネル１４と、タッチセンサ２４と、メモリ２２と、第１のマイク１５と、第１のスピーカ１６と、第１の近距離通信部１７と、第１の制御部１８とを備える。第１の制御部１８は、通話制御部１９と、アプリケーション実行部２０と、第１の通信制御部２１とを含む。
【００１８】
無線通信部１２は、アンテナ２３を通じて、無線基地局と通信を行なう。
液晶ディスプレイ１３は、第１の制御部１８から出力される画面を表示する。
【００１９】
タッチパネル１４は、ユーザからの入力を受け付ける。
メモリ２２は、第１の制御部１８で使用されるデータなどを記憶する。
【００２０】
第１のマイク１５には、携帯端末１０とヘッドセット３０とが通信接続されていないときに、外部の音声が入力される。
【００２１】
第１のスピーカ１６は、携帯端末１０とヘッドセット３０とが通信接続されていないときに、第１の制御部１８から出力される通話相手の音声または音楽データの音声を出力する。
【００２２】
タッチセンサ２４は、携帯端末１０の筐体の側面などに配置され、ユーザが携帯端末１０を保持しているか否かを判定するために設けられる。
【００２３】
第１の近距離通信部１７は、ペアリングされているヘッドセット３０との距離が所定距離以下となると、ブルートゥース方式での通信接続を確立し、ヘッドセット３０との間で信号の送受信を行なう。
【００２４】
通話制御部１９は、無線基地局を介した通話相手の通話を制御する。
アプリケーション実行部２０は、音楽データの再生などを制御する。
【００２５】
第１の通信制御部２１は、ヘッドセット３０との通信を制御する。
通話制御部１９、アプリケーション実行部２０、第１の通信制御部２１は、携帯端末１０に含まれるＣＰＵ（Central Processing Unit）が、メモリ２２に記憶されたプログラムを実行することによって実現される。
【００２６】
ヘッドセット３０は、第２のスピーカ３２と、第２のマイク３３と、第２の近距離通信部３４と、第２の制御部３１とを備える。第２の制御部３１は、第２の通信制御部３５と、通信品質計測部３６と、通信状況判定部３７と、電源制御部３８とを含む。
【００２７】
第２のスピーカ３２は、携帯端末１０から送信された音声を出力する。
第２のマイク３３には、外部の音声、特にユーザの音声を入力される。
【００２８】
第２の近距離通信部３４は、ペアリングされている携帯端末１０との距離が所定距離以下となると、ブルートゥース方式での通信接続を確立し、携帯端末１０との間で信号の送受信を行なう。
【００２９】
第２の通信制御部３５は、携帯端末１０との通信を制御する。
通信品質計測部３６は、携帯端末１０から送られてきた信号のパケットエラーレートを算出する。
【００３０】
通信状況判定部３７は、計測されたパケットエラーレートに基づいて、携帯端末１０との間の通信状況が改善されたか、または悪化したかを判定する。
【００３１】
電源制御部３８は、ヘッドセット３０の電源のオン／オフを制御する。
図３は、第１の実施形態の携帯端末１０の動作手順を表わすフローチャートである。
【００３２】
ステップＳ１００において、ヘッドセット３０との間で通信接続がなされている場合には、処理がステップＳ１０１に進む。
【００３３】
ステップＳ１０１において、第１の通信制御部２１は、制御変数Ｃを０に設定する。
ステップＳ１０２において、出力する音声信号がある場合には、処理がステップＳ１０３に進み、出力する音声信号がない場合には、処理がステップＳ１０５に進む。ここで、出力する音声信号がある場合とは、アプリケーション実行部２０が、音楽データを再生し、再生した音声をヘッドセット３０へ出力する場合や、通話制御部１９が、受信した通話相手の音声をヘッドセット３０へ出力する場合を含む。
【００３４】
ステップＳ１０３において、第１の通信制御部２１は、第１の近距離通信部１７を通じて音声信号をヘッドセット３０へ送信する。
【００３５】
ステップＳ１０４において、第１の通信制御部２１は、制御変数Ｃを０に設定する。その後、処理がステップＳ１０２に戻る。
【００３６】
ステップＳ１０５において、第１の通信制御部２１は、制御変数Ｃを１だけインクリメントする。
【００３７】
ステップＳ１０６において、制御変数Ｃの値が閾値ＴＨに達した場合に、処理がステップＳ１０７に進む。制御変数Ｃが閾値ＴＨ未満の場合には、処理がステップＳ１０２に戻る。
【００３８】
ステップＳ１０７において、第１の通信制御部２１は、第１の近距離通信部１７を通じてテスト信号をヘッドセット３０へ送信する。制御変数Ｃが閾値ＴＨに達したときに、テスト信号を送信するのは、制御変数Ｃが閾値ＴＨに達するまでの所定時間、ヘッドセット３０へ出力する音声信号がない場合に、ヘッドセット３０側で通信状況の変化を検出するために、携帯端末１０からヘッドセット３０へ何らかの信号を送信する必要があるからである。
【００３９】
図４は、第１の実施形態のヘッドセット３０の動作手順を表わすフローチャートである。
【００４０】
ステップＳ２０１において、携帯端末１０との間で通信接続がなされている場合には、処理がステップＳ２０２に進む。
【００４１】
ステップＳ２０２において、第２の近距離通信部３４が、携帯端末１０からの信号を受信した場合には、処理がステップＳ２０３に進む。
【００４２】
ステップＳ２０３において、通信品質計測部３６は、受信した信号のパケットエラーレートを基準パケットエラーレートＰＥＲ＿０として算出する。
【００４３】
ステップＳ２０４において、所定時間ｔ２だけ、処理がウエイトする。
ステップＳ２０５において、第２の近距離通信部３４が、携帯端末１０からの信号を受信した場合には、処理がステップＳ２０６に進む。第２の近距離通信部３４が、携帯端末１０からの信号を受信しなかった場合には、処理がステップＳ２０２に戻る。ステップＳ２０２に戻ることによって、基準パケットエラーレートＰＥＲ＿０が、リセットされる。
【００４４】
ステップＳ２０６において、通信品質計測部３６は、受信した信号のパケットエラーレートＰＥＲ＿Ｘを算出する。
【００４５】
ステップＳ２０７において、通信状況判定部３７が、パケットエラーレートＰＥＲ＿Ｘが基準パケットエラーレートＰＥＲ＿０よりも小さいと判定した場合、つまり通信状況が良い方向に変化したと判定した場合には、処理がステップＳ２０９に進む。通信状況判定部３７が、パケットエラーレートＰＥＲ＿Ｘが基準パケットエラーレートＰＥＲ＿０以上と判断した場合、処理がステップＳ２０８に進む。
【００４６】
ステップＳ２０８において、通信状況判定部３７が、パケットエラーレートＰＥＲ＿Ｘが、基準パケットエラーレートＰＥＲ＿０と許容値ｄｐの和よりも大きいと判定した場合、つまり通信状況が悪い方向に許容値ｄｐよりも大きい量だけ変化したと判定した場合には、処理がステップＳ２０９に進む。パケットエラーレートＰＥＲ＿Ｘが、基準パケットエラーレートＰＥＲ＿０と許容値ｄｐの和以下の場合、処理がステップＳ２０４に戻る。
【００４７】
ステップＳ２０９において、電源制御部３８は、ヘッドセット３０の電源をオフにする。
【００４８】
図５に示すように、通信状況が良い方向に変化した場合（ステップＳ２０７でＹＥＳ）に電源をオフするのは、携帯端末１０とヘッドセット３０とがポケットや鞄などの同一の場所に保管され、未使用状態であると想定されるので、ヘッドセット３０の電池の電力の無駄な消費を防止するためである。
【００４９】
また、図５に示すように、通信状況が悪い方向に許容値ｄｐよりも大きい量だけ変化した場合（ステップＳ２０８でＹＥＳ）に電源をオフにするのは、ヘッドセット３０を使用した通話、音楽再生時の音声の品質が極度に悪化しているので、ヘッドセット３０の無駄な使用を終了して電池の電力の無駄な消費を防止するためである。
【００５０】
以上のように、本実施の形態によれば、ユーザがヘッドセットをユーザの身体（頭部、耳、または胸ポケットなど）に装着して通常に使用しているときには、通信状況が変化せず、ヘッドセットの電源がオフとされないので、ヘッドセットを使用中でもヘッドセットの電源がオフにされるといった事態を回避できる。
【００５１】
携帯端末とヘッドセットとがポケットや鞄などの同一の場所に保管された場合にヘッドセットの電源がオフとなるので、ヘッドセットの使用が終了してもヘッドセットの電源がオフにされないという事態を回避できる。また、本実施の形態によれば、従来のように、ヘッドセットの頭部への取り付けを検知するためのセンサを設ける必要がないという効果を有する。
【００５２】
［第２の実施形態］
第１の実施形態では、携帯端末１０からヘッドセット３０へ送られる信号に基づいて、携帯端末１０とヘッドセット３０との間の通信環境を判定した。これに対して、本実施の形態では、ヘッドセット５０から携帯端末４０へ送られる信号に基づいて、携帯端末４０とヘッドセット５０との間の通信環境を判定する。
【００５３】
図６は、第２の実施形態の情報システム５１の構成を表わす図である。
この情報システム５１は、携帯端末４０およびヘッドセット５０を備える。
【００５４】
図６を参照して、第２の実施形態の携帯端末４０が、第１の実施形態の携帯端末１０と相違する点は、携帯端末４０に含まれる第１の制御部５１が、通信品質計測部５７と、通信状況判定部５８を備える点である。また、ヘッドセット５０が、第１の実施形態のヘッドセット３０と相違する点は、ヘッドセット５０に含まれる第２の制御部６１が、通信品質計測部３６と、通信状況判定部３７を含まない点である。
【００５５】
通信品質計測部５７は、ヘッドセット５０から送られてきた信号のパケットエラーレートを算出する。
【００５６】
通信状況判定部５８は、計測されたパケットエラーレートに基づいて、ヘッドセット５０との間の通信状況が改善されたか、または悪化したかを判定する。
【００５７】
図７は、第２の実施形態のヘッドセット５０の動作手順を表わすフローチャートである。
【００５８】
ステップＳ３０１において、携帯端末４０との間で通信接続がなされている場合には、処理がステップＳ３０２に進む。
【００５９】
ステップＳ３０２において、第２の通信制御部３５は、制御変数Ｃを０に設定する。
ステップＳ３０３において、第２の近距離通信部３４が、ヘッドセット５０の電源をオフにするように指示する信号を受信した場合には、処理がステップＳ３０４に進む。第２の近距離通信部３４が、ヘッドセット５０の電源をオフにするように指示する信号を受信しなかった場合には、処理がステップＳ３０５に進む。
【００６０】
ステップＳ３０４において、電源制御部３８は、ヘッドセット５０の電源をオフにする。
【００６１】
ステップＳ３０５において、出力する音声信号がある場合には、処理がステップ３０６に進み、出力する音声信号がない場合には、処理がステップＳ３０８に進む。ここで、出力する音声信号がある場合とは、通話時に第２のマイク３３から音声が入力される場合を含む。
【００６２】
ステップＳ３０６において、第２の通信制御部３５は、第２の近距離通信部３４を通じて音声信号を携帯端末４０へ送信する。
【００６３】
ステップＳ３０７において、第２の通信制御部３５は、制御変数Ｃを０に設定する。その後、処理がステップＳ３０３に戻る。
【００６４】
ステップＳ３０８において、第２の通信制御部３５は、制御変数Ｃを１だけインクリメントする。
【００６５】
ステップＳ３０９において、制御変数Ｃの値が閾値ＴＨに達した場合に、処理がステップＳ３１０に進む。制御変数Ｃが閾値ＴＨ未満の場合には、処理がステップＳ３０３に戻る。
【００６６】
ステップＳ３１０において、第２の通信制御部３５は、第２の近距離通信部３４を通じてテスト信号を携帯端末４０へ送信する。
【００６７】
制御変数Ｃが閾値ＴＨに達したときに、テスト信号を送信するのは、制御変数Ｃが閾値ＴＨに達するまでの所定時間、携帯端末４０へ出力する音声信号がない場合に、携帯端末４０側で通信状況の変化を検出するために、ヘッドセット５０から携帯端末４０へ何らかの信号を送信する必要があるからである。
【００６８】
図８は、第２の実施形態の携帯端末４０の動作手順を表わすフローチャートである。
ステップＳ４００において、ヘッドセット５０との間で通信接続がなされている場合には、処理がステップＳ４０１に進む。
【００６９】
ステップＳ４０１において、第１の近距離通信部１７が、ヘッドセット５０からの信号を受信した場合には、処理がステップＳ４０２に進む。
【００７０】
ステップＳ４０２において、通信品質計測部５７は、受信した信号のパケットエラーレートを基準パケットエラーレートＰＥＲ＿０として算出する。
【００７１】
ステップＳ４０３において、所定時間ｔ２だけ、処理がウエイトする。
ステップＳ４０４において、第１の近距離通信部１７が、ヘッドセット５０からの信号を受信した場合には、処理がステップＳ４０５に進む。第１の近距離通信部１７が、ヘッドセット５０からの信号を受信しなかった場合には、処理がステップＳ４０１に戻る。ステップＳ４０１に戻ることによって、基準パケットエラーレートＰＥＲ＿０が、リセットされる。
【００７２】
ステップＳ４０５において、通信品質計測部５７は、受信した信号のパケットエラーレートＰＥＲ＿Ｘを算出する。
【００７３】
ステップＳ４０６において、通信状況判定部５８が、パケットエラーレートＰＥＲ＿Ｘが基準パケットエラーレートＰＥＲ＿０よりも小さいと判定した場合、つまり通信環境が良い方向に変化したと判定した場合には、処理がステップＳ４０８に進む。通信状況判定部５８が、パケットエラーレートＰＥＲ＿Ｘが基準パケットエラーレートＰＥＲ＿０以上と判定した場合、処理がステップＳ４０７に進む。
【００７４】
ステップＳ４０７において、通信状況判定部５８が、パケットエラーレートＰＥＲ＿Ｘが、基準パケットエラーレートＰＥＲ＿０と許容値ｄｐの和よりも大きいと判定した場合、つまり通信環境が悪い方向に許容値ｄｐよりも大きい量だけ変化したと判定した場合には、処理がステップＳ４０７に進む。パケットエラーレートＰＥＲ＿Ｘが、基準パケットエラーレートＰＥＲ＿０と許容値ｄｐの和以下の場合、処理がステップＳ４０３に戻る。
【００７５】
ステップＳ４０８において、第１の通信制御部２１は、ヘッドセット５０の電源をオフにするように指示する信号を第１の近距離通信部１７を通じてヘッドセット５０へ送信する。
【００７６】
以上のように、本実施の形態によれば、ヘッドセットから携帯端末へ送信される信号の通信品質に基づいて、通信状況を判断する場合でも、第１の実施形態のように携帯端末からヘッドセットへ送信される信号の通信品質に基づいて通信状況を判定する場合と同様の効果が得られる。すなわち、ヘッドセットを使用中でもヘッドセットの電源がオフにされると事態を回避できるとともに、ヘッドセットの使用が終了してもヘッドセットの電源がオフにされないという事態を回避できる。
【００７７】
［第２の実施形態の変形例］
第２の実施形態では、携帯端末が図８のステップＳ４０６〜Ｓ４０８に示すように、通信状況を判定した。
【００７８】
本変形例では、ヘッドセットが通信状況を判定する。
すなわち、携帯端末は、計測したパケットエラーレートＰＥＲ＿０と、ＰＥＲ＿Ｘをヘッドセットに送信する。ヘッドセットが通信状況判定部を備える。この通信状況判定部が、ステップＳ４０６、Ｓ４０７と同様にして、通信状況を判定する。ＰＥＲ＿Ｘ＜ＰＥＲ＿０、または、ＰＥＲ＿Ｘ＞ＰＥＲ＿０＋ｄＰのときには、ヘッドセットの電源制御部は、ヘッドセットの電源をオフにする。
【００７９】
［第３の実施形態］
第１の実施形態では、通信状況判定部３７は、パケットエラーレートＰＥＲ＿Ｘが基準パケットエラーレートＰＥＲ＿０よりも一度でも小さくなった場合に、通信状況が良い方向に変化したと判定した。
【００８０】
本実施の形態では、通信状況判定部３７は、ノイズの多い環境での使用を想定して、パケットエラーレートＰＥＲ＿Ｘが基準パケットエラーレートＰＥＲ＿０よりも所定回数連続して、マージンｄＭの範囲を超えて小さくなった場合に、通信状況が良い方向に変化したと判定する。また、通信状況が悪化したとの判定においても、許容値ｄｐの代わりに、マージンｄＭを用いる。
【００８１】
また、本実施の形態では、ユーザが携帯端末１０を使用しているときに、ヘッドセット３０の電源がオフとならないように、ユーザがタッチパネル１４を操作しているとき、液晶ディスプレイ１３の表示がオンのとき、またはユーザが携帯端末１０を保持することによってタッチセンサ２４に入力があるときには、電源制御部３８は、ヘッドセット５０の電源をオフにしない。
【００８２】
図９は、第３の実施形態の携帯端末１０の動作手順を表わすフローチャートである。
ステップＳ７００において、ヘッドセット３０との間で通信接続がなされている場合には、処理がステップＳ７０１に進む。
【００８３】
ステップＳ７０１において、第１の通信制御部２１は、制御変数Ｃを０に設定する。
ステップＳ７０２において、第１の通信制御部２１が、第１の近距離通信部１７を通じて、通信状況が良好に変化した旨を表わす信号を受信した場合には、処理がステップＳ７０３に進み、受信しなかった場合には、処理がステップＳ７０８に進む。
【００８４】
ステップＳ７０３において、タッチパネル１４への入力があったときに、処理がステップＳ７０７に進み、タッチパネル１４への入力がなかったときには、処理がステップＳ７０４に進む。
【００８５】
ステップＳ７０４において、液晶ディスプレイ１３の表示がオンのときに、処理がステップＳ７０７に進み、液晶ディスプレイ１３の表示がオフのときに、処理がステップＳ７０５に進む。
【００８６】
ステップＳ７０５において、タッチセンサ２４への入力があったときに、処理がステップＳ７０７に進み、タッチセンサ２４への入力がなかったときには、処理がステップＳ７０６に進む。
【００８７】
ステップＳ７０６において、第１の通信制御部２１は、第１の近距離通信部１７を通じて、ヘッドセット３０の電源をオフにするように指示する信号をヘッドセット３０へ送信する。
【００８８】
ステップＳ７０７において、第１の通信制御部２１は、第１の近距離通信部１７を通じて、ヘッドセット３０の電源のオンを維持するように指示する信号をヘッドセット３０へ送信する。
【００８９】
このように制御する理由は、タッチパネル１４への入力があったときには（ステップＳ７０３でＹＥＳ）、ユーザが携帯端末１０を使用しているので、ヘッドセット３０の電源をオフにするのは望ましくないからである。また、液晶ディスプレイ１３の表示がオンのときには（ステップＳ７０４でＹＥＳ）、ユーザが携帯端末１０を使用している可能性が高いので、ヘッドセット３０の電源をオフにするのは望ましくないからである。また、タッチセンサ２４への入力があったときには（ステップＳ７０５でＹＥＳ）、ユーザが携帯端末１０を使用しているので、ヘッドセット３０の電源をオフにするのは望ましくないからである。
【００９０】
ステップＳ７０８において、出力する音声信号がある場合には、処理がステップＳ７０９に進み、出力する音声信号がない場合には、処理がステップＳ７１１に進む。
【００９１】
ステップＳ７０９において、第１の通信制御部２１は、第１の近距離通信部１７を通じて音声信号をヘッドセット３０へ送信する。
【００９２】
ステップＳ７１０において、第１の通信制御部２１は、制御変数Ｃを０に設定する。その後、処理がステップＳ７０２に戻る。
【００９３】
ステップＳ７１１において、第１の通信制御部２１は、制御変数Ｃを１だけインクリメントする。
【００９４】
ステップＳ７１２において、制御変数Ｃの値が閾値ＴＨに達した場合に、処理がステップＳ７１３に進む。制御変数Ｃが閾値ＴＨ未満の場合には、処理がステップＳ７０２に戻る。
【００９５】
ステップＳ７１３において、第１の通信制御部２１は、第１の近距離通信部１７を通じてテスト信号をヘッドセット３０へ送信する。
【００９６】
図１０は、第３の実施形態のヘッドセット３０の動作手順を表わすフローチャートである。
【００９７】
ステップＳ６０１において、携帯端末１０との間で通信接続がなされている場合には、処理がステップＳ６０２に進む。
【００９８】
ステップＳ６０２において、第２の近距離通信部３４が、携帯端末１０からの信号を受信した場合には、処理がステップＳ６０３に進む。
【００９９】
ステップＳ６０３において、通信品質計測部３６は、受信した信号のパケットエラーレートを基準パケットエラーレートＰＥＲ＿０として算出する。
【０１００】
ステップＳ６０４において、通信状況判定部３７は、カウントＸを０に設定する。
ステップＳ６０５において、所定時間ｔ２だけ、処理がウエイトする。
【０１０１】
ステップＳ６０６において、第２の近距離通信部３４が、携帯端末１０からの信号を受信した場合には、処理がステップＳ６０７に進む。第２の近距離通信部３４が、携帯端末１０からの信号を受信しなかった場合には、処理がステップＳ６０２に戻る。ステップＳ６０２に戻ることによって、基準パケットエラーレートＰＥＲ＿０が、リセットされる。
【０１０２】
ステップＳ６０７において、通信品質計測部３６は、受信した信号のパケットエラーレートＰＥＲ＿Ｘを算出する。
【０１０３】
ステップＳ６０８において、通信状況判定部３７が、パケットエラーレートＰＥＲ＿Ｘが、基準パケットエラーレートＰＥＲ＿０からマージンｄＭを減算した値以上、かつ基準パケットエラーレートＰＥＲ＿０にマージンｄＭを加算した値以下であると判定した場合に、処理がステップＳ６０４に戻る。これは、受信信号に含まれるノイズを考慮して、マージンｄＭの範囲で変化しても、通信状況に変化がないとみなすためである。
【０１０４】
一方、通信状況判定部３７が、パケットエラーレートＰＥＲ＿Ｘが、基準パケットエラーレートＰＥＲ＿０からマージンｄＭを減算した値よりも小さいか、または基準パケットエラーレートＰＥＲ＿０にマージンｄＭを加算した値よりも大きいと場合と判定した場合に、処理がステップＳ６０９に進む。
【０１０５】
ステップＳ６０９において、通信状況判定部３７が、パケットエラーレートＰＥＲ＿Ｘが、基準パケットエラーレートＰＥＲ＿０からマージンｄＭを減算した値よりも小さいと判定した場合に、処理がステップＳ６１０に進む。
【０１０６】
通信状況判定部３７が、パケットエラーレートＰＥＲ＿Ｘが、基準パケットエラーレートＰＥＲ＿０もマージンｄＭを加算した値よりも大きいと判定した場合に、処理がステップＳ６１４に進む。
【０１０７】
ステップＳ６１０において、通信状況判定部３７は、カウントＸをインクリメントする。
【０１０８】
ステップＳ６１１において、カウントＸが固定値Ｎに達したら、処理がステップＳ６１２に進む。カウントＸが固定値Ｎ未満の場合に、処理がステップＳ６０５に戻る。これは、通信状況の瞬時的な変動を除外するため、カウントＸが固定値Ｎに達するまでの所定回数連続して、パケットエラーレートＰＥＲ＿Ｘが、基準パケットエラーレートＰＥＲ＿０からマージンｄＭを減算した値よりも小さくならない限り、通信状況に変化がないとみなすためである。
【０１０９】
ステップＳ６１２において、第２の通信制御部３５が、第２の近距離通信部３４を通じて、通信状況が良好に変化したことを表わす信号を携帯端末１０へ送信する。
【０１１０】
ステップＳ６１３において、第２の通信制御部３５が、第２の近距離通信部３４を通じて、ヘッドセット３０の電源をオフにするように指示する信号を受信した場合には、処理がステップＳ６１４に進む。第２の通信制御部３５が、第２の近距離通信部３４を通じて、ヘッドセット３０の電源のオンを維持するように指示する信号を受信した場合には、処理がステップＳ６０２に戻る。
【０１１１】
ステップＳ６１５において、電源制御部３８は、ヘッドセット３０の電源をオフにする。
【０１１２】
図１１に示すように、通信状況が良い方向にマージンｄＭよりも大きい量だけＮ回連続しえ変化したこと（ステップＳ６１１でＹＥＳ）を１つの条件として電源をオフするのは、第１の実施形態と同様に、携帯端末１０とヘッドセット３０とがポケットや鞄などの同一の場所に保管され、未使用状態であると想定されるので、電池の電力の無駄な消費を防止するためである。
【０１１３】
また、図１１に示すように、通信状況が悪い方向にマージンｄＭよりも大きい量だけ変化した場合（ステップＳ６０９でＮＯ）に電源をオフにするのは、第１の実施形態と同様に、ヘッドセット３０を使用した通話、音楽再生時の音声の品質が極度に悪化しているので、ヘッドセット３０の無駄な使用を終了して電池の電力の無駄な消費を防止するためである。
【０１１４】
以上のように、本実施の形態によれば、第１の実施形態と同様に、ヘッドセットを使用中でもヘッドセットの電源がオフにされると事態を回避できるとともに、ヘッドセットの使用が終了してもヘッドセットの電源がオフにされないという事態を回避できる。
【０１１５】
本実施の形態によれば、さらに、通信品質がマージン量以上所定回数改善されなければ、通信状況が変化したと判定されない。これにより、携帯端末からヘッドセットへ送信される信号にノイズが含まれていても、適切な判定が可能となる。
【０１１６】
本実施の形態によれば、さらに、ユーザがタッチパネルを操作しているとき、液晶ディスプレイの表示がオンのとき、またはユーザが携帯端末を保持することによってタッチセンサに入力があるときには、ヘッドセットの電源がオフにならない。これによって、ユーザが携帯端末を使用しているときに、ヘッドセットの電源が勝手にオフとなる事態を防止できる。
【０１１７】
［第４の実施形態］
第２の実施形態では、通信状況判定部５８は、パケットエラーレートＰＥＲ＿Ｘが基準パケットエラーレートＰＥＲ＿０よりも一度でも小さくなった場合に、通信状況が良い方向に変化したと判定した。
【０１１８】
本実施の形態では、通信状況判定部３７は、ノイズの多い環境での使用を想定して、パケットエラーレートＰＥＲ＿Ｘが基準パケットエラーレートＰＥＲ＿０よりも所定回数連続して、マージンｄＭの範囲を超えて小さくなった場合に、通信状況が良い方向に変化したと判定する。また、通信状況が悪化したとの判定においても、許容値ｄｐの代わりに、マージンｄＭを用いる。
【０１１９】
また、本実施の形態では、ユーザが携帯端末４０を使用しているときに、ヘッドセット５０の電源がオフとならないように、ユーザがタッチパネル１４を操作しているとき、液晶ディスプレイ１３の表示がオンのとき、またはユーザが携帯端末４０を保持することによってタッチセンサ２４に入力があるときには、電源制御部３８は、ヘッドセット５０の電源をオフにしない。
【０１２０】
第４の実施形態のヘッドセット５０の動作は、第２の実施形態のヘッドセット５０の動作と同様なので、説明を繰り返さない。
【０１２１】
図１２は、第４の実施形態の携帯端末４０の動作手順を表わすフローチャートである。
ステップＳ８００において、ヘッドセット５０との間で通信接続がなされている場合には、処理がステップＳ８０１に進む。
【０１２２】
ステップＳ８０１において、第１の近距離通信部１７が、ヘッドセット５０からの信号を受信した場合には、処理がステップＳ８０２に進む。
【０１２３】
ステップＳ８０２において、通信品質計測部５７は、受信した信号のパケットエラーレートを基準パケットエラーレートＰＥＲ＿０として算出する。
【０１２４】
ステップＳ８０３において、通信状況判定部５８は、カウントＸを０に設定する。
ステップＳ８０４において、所定時間ｔ２だけ、処理がウエイトする。
【０１２５】
ステップＳ８０５において、第１の近距離通信部１７が、ヘッドセット５０からの信号を受信した場合には、処理がステップＳ８０６に進む。第１の近距離通信部１７が、ヘッドセット５０からの信号を受信しなかった場合には、処理がステップＳ８０１に戻る。
【０１２６】
ステップＳ８０６において、通信品質計測部５７は、受信した信号のパケットエラーレートＰＥＲ＿Ｘを算出する。
【０１２７】
ステップＳ８０７において、通信状況判定部５８が、パケットエラーレートＰＥＲ＿Ｘが、基準パケットエラーレートＰＥＲ＿０からマージンｄＭを減算した値以上、かつ基準パケットエラーレートＰＥＲ＿０にマージンｄＭを加算した値以下であると判定した場合に、処理がステップＳ８０３に戻る。通信状況判定部５８が、パケットエラーレートＰＥＲ＿Ｘが、基準パケットエラーレートＰＥＲ＿０からマージンｄＭを減算した値よりも小さいか、または基準パケットエラーレートＰＥＲ＿０にマージンｄＭを加算した値よりも大きいと場合と判定した場合に、処理がステップＳ８０８に進む。
【０１２８】
ステップＳ８０８において、通信状況判定部５８が、パケットエラーレートＰＥＲ＿Ｘが、基準パケットエラーレートＰＥＲ＿０からマージンｄＭを減算した値よりも小さいと判定した場合に、処理がステップＳ８０９に進む。
【０１２９】
通信状況判定部５８が、パケットエラーレートＰＥＲ＿Ｘが、基準パケットエラーレートＰＥＲ＿０もマージンｄＭを加算した値よりも大きいと判定した場合に、処理がステップＳ８１４に進む。
【０１３０】
ステップＳ８０９において、通信状況判定部５８は、カウントＸをインクリメントする。
【０１３１】
ステップＳ８１０において、カウントＸが固定値Ｎに達したら、処理がステップＳ８１１に進む。カウントＸが固定値Ｎ未満の場合に、処理がステップＳ８０４に戻る。
【０１３２】
ステップＳ８１１において、タッチパネル１４への入力があったときに、処理がステップＳ８０１に戻り、タッチパネル１４への入力がなかったときには、処理がステップＳ８１２に進む。
【０１３３】
ステップＳ８１２において、液晶ディスプレイ１３の表示がオンのときに、処理がステップＳ８０１に戻り、液晶ディスプレイ１３の表示がオフのときに、処理がステップＳ８１３に進む。
【０１３４】
ステップＳ８１３において、タッチセンサ２４への入力があったときに、処理がステップＳ８０１に戻り、タッチセンサ２４への入力がなかったときには、処理がステップＳ８１４に進む。
【０１３５】
ステップＳ８１４において、第１の通信制御部２１は、ヘッドセット５０の電源をオフにするように指示する信号を第１の近距離通信部１７を通じてヘッドセット５０へ送信する。
【０１３６】
以上のように、本実施の形態によれば、ヘッドセットから携帯端末へ送信される信号の通信品質に基づいて、通信状況を判断する場合でも、第３の実施形態のように携帯端末からヘッドセットへ送信される信号の通信品質に基づいて通信状況を判定する場合と同様の効果が得られる。すなわち、本実施の形態によれば、ヘッドセットを使用中でもヘッドセットの電源がオフにされると事態を回避できるとともに、ヘッドセットの使用が終了してもヘッドセットの電源がオフにされないという事態を回避できる。また、本実施の形態によれば、ヘッドセットから携帯端末へ送信される信号にノイズが含まれていても、適切な判定が可能となる。本実施の形態によれば、さらに、ユーザが携帯端末を使用しているときに、ヘッドセットの電源が勝手にオフとなる事態を防止できる。
【０１３７】
（全体を通じての変形例）
本発明は、上記の実施形態に限定されるものではなく、たとえば以下のような変形例も含む。
【０１３８】
（１）通信品質
本実施の形態では、通信品質の一例として、パケットエラーレートを用いたが、これに限定するものではなく、たとえば、ＲＳＳＩ（Received Signal Strength Indication）であってもよい。
【０１３９】
（２）近距離通信方式
本実施の形態では、近距離通信方式としてブルートゥース方式を例にしたが、これに限定するものではなく、たとえば、ＮＦＣ（Near Filed Communication）方式の近距離通信方式を用いてもよい。その場合には、通信品質として、パケットエラーレート、ＲＳＳＩの他に、フレームエラーレート、ＣＩＮＲ（Carrier to Noise and Interference Ratio）などを用いてもよい。
【０１４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４１】
１０，４０  携帯端末、３０，５０  ヘッドセット、１２  無線通信部、１３  液晶ディスプレイ、１４  タッチパネル、１５  第１のマイク、３３  第２のマイク、１６  第１のスピーカ、３２  第２のスピーカ、１７  第１の近距離通信部、３４  第２の近距離通信部、１８，５１  第１の制御部、３１，６１  第２の制御部、１９  通話制御部、２０  アプリケーション実行部、２１  第１の通信制御部、３５  第２の通信制御部、２２  メモリ、２４  タッチセンサ、３６，５７  通信品質計測部、３７，５８  通信状況判定部、３８  電源制御部。
【図１】
0006415275.tif 000002
【図２】
0006415275.tif 000003
【図３】
0006415275.tif 000004
【図４】
0006415275.tif 000005
【図５】
0006415275.tif 000006
【図６】
0006415275.tif 000007
【図７】
0006415275.tif 000008
【図８】
0006415275.tif 000009
【図９】
0006415275.tif 000010
【図１０】
0006415275.tif 000011
【図１１】
0006415275.tif 000012
【図１２】
0006415275.tif 000013